(57)【要約】      （修正有）【課題】汗止め、防臭、帽子への汚れ付着防止が可能であり、且つ、着用者の頭部の冷却が可能な帽子を提供する。【解決手段】帽子は、頭頂部内側に円形もしくは楕円形の冷却ジェル袋１を備え、冷却ジェル袋は、冷却ジェルを挿入可能とするスリット４を有し、且つ、取り付け部材により頭頂部内側に着脱可能に取り付ける。取り付け部材としては、面ファスナー３等を使用する。また、帽子の縁部分には、帯状の形状で、頭部に接触する部分に吸水生地６を配し、面ファスナー５等で着脱自在とした吸汗帯２を設ける。【選択図】図１
0003164804.tif 000002
【実用新案登録請求の範囲】
【請求項１】
頭頂部内側に円形もしくは楕円形の冷却ジェル袋を備え、
前記冷却ジェル袋は、冷却ジェルを挿入可能とするスリットを有し、且つ、取り付け部材により頭頂部内側に着脱可能であることを特徴とする帽子。
【請求項２】
縁部分内側に帯状の吸汗帯を備え、
前記吸汗帯は、汗の吸収を可能とする布を有し、且つ、取り付け部材により頭頂部内側に着脱可能であることを特徴とする請求項１に記載の帽子。
【考案の詳細な説明】
【技術分野】
【０００１】
本考案は、汗止め、防臭、帽子への汚れ付着防止が可能であり、且つ、着用者の頭部の冷却が可能な帽子に関する。
【背景技術】
【０００２】
現在、帽子は、日常の生活での用途や、ファッション、レジャー、スポーツ等、様々な用途に用いられ、普段の生活には欠かせないものとなっている。
【０００３】
しかし、ファッション以外で使用される帽子については、その機能性が問われているものの、気温が高い状態での使用に対しては配慮されていないものが多い。
【０００４】
気温が高い状態での使用は帽子内の高温化等による頭部の発汗により、着用者に様々な問題をもたらす。
【０００５】
まず、汗が目に入ったりする等して、作業や運動等の妨げになるという問題が存在する。その他にも帽子に付着した汗が臭いを発生させる問題や、髪を染髪している場合は染髪剤の帽子への付着の問題、また、着用者が女性の場合においては化粧落ちの問題も発生させる。
【０００６】
これら帽子の汗問題に対する従来技術としては、特許文献１〜３に記載の技術が存在する。
【先行技術文献】
【特許文献】
【０００７】
【特許文献１】実用新案登録第３０７５６０２号公報
【特許文献２】実用新案登録第３０４９１６１号公報
【特許文献３】特開２００９−１４４２９９号公報
【考案の概要】
【考案が解決しようとする課題】
【０００８】
上記従来技術においては下記の問題が存在している。
【０００９】
特許文献１には、帽子の内側縁部に装着して用いる汗取りシートが記載されている。当該汗取りシートは粘着シートにより帽子の縁に貼り付けるため、当該シートを一度剥がすと粘着シートに帽子の縁の繊維が付着し、再度貼り付けることは非常に困難であり、同じ汗取りシートを繰り返し使用することはできない。
【００１０】
また、当該シートは後から帽子に添付するものであるため、当該シートの貼り付け後は、頭周りのサイズが変わってしまう。帽子がサイズの調整機構を有していない限り頭部にフィットしない状態となってしまう。
【００１１】
また、上記従来技術は、汗を止めるために頭部自体を冷却する構成については、全く考慮されていない。
【００１２】
特許文献２には、帽子の縁に着脱可能な吸水帯について記載されているが、着用者の発汗自体の抑制については全く考慮されていない。
【００１３】
特許文献３には、マジックテープ（登録商標）もしくは粘着テープを用いて帽子の縁に隙間を作り、帽子内の蒸れを防止する技術が記載されているが、汗を吸収する構成および着用者の発汗自体の抑制については全く考慮されていない。
【００１４】
本考案は、上記問題点に鑑みてなされたものであり、汗止め、防臭、帽子への汚れ付着防止が可能であり、且つ、着用者の頭部の冷却が可能な帽子を提供することを目的とする。
【課題を解決するための手段】
【００１５】
本考案の帽子は、頭頂部内側に円形もしくは楕円形の冷却ジェル袋を備え、前記冷却ジェル袋は、冷却ジェルを挿入可能とするスリットを有し、且つ、取り付け部材により頭頂部内側に着脱可能であることを特徴とする。
【考案の効果】
【００１６】
本考案によれば、汗止め、防臭、帽子への汚れ付着防止が可能であり、且つ、着用者の頭部の冷却が可能な帽子を提供することが可能となる。
【図面の簡単な説明】
【００１７】
【図１】本考案の実施形態に係る帽子の構成を示す図である。
【図２】本考案の実施形態に係る帽子の冷却ジェル袋の構成を示す図である。
【図３】本考案の実施形態に係る帽子のマジックテープ（冷却ジェル袋を固定）の構成を示す図である。
【図４】本考案の実施形態に係る帽子の吸汗帯の構成を示す図である。
【図５】本考案の実施形態に係る帽子のマジックテープ（吸汗帯を固定）の構成を示す図である。
【考案を実施するための形態】
【００１８】
以下に本考案の実施形態の例について、図面を用いて詳細に説明する。
【００１９】
図１は本考案の実施形態に係る帽子の構成を示す図である、帽子の頭頂部には冷却ジェルを入れた冷却ジェル袋１を有する。冷却ジェル袋１は帽子の頭頂部内側に着脱可能であり、頭頂部における帽子の内側の形状に適合するように円または楕円の形状を有する。
【００２０】
また、帽子の縁部分には帯状の形状で着脱可能な吸汗帯２を有する。吸汗帯２は頭部の汗を吸収する。
【００２１】
図２は冷却ジェル袋１の構成について説明する図である。
【００２２】
冷却ジェル袋１の中央部は冷却ジェルを容易に挿入可能とするため、中央部にスリット４（切れ目）が設けられている。冷却ジェルは冷却ジェル袋１の袋部分の形状に適合するように袋内の形状に合わせて円または楕円とされる。
【００２３】
冷却ジェル袋１のスリットの左右には帽子内に冷却ジェル袋１を帽子の頭頂部内側に固定するため、マジックテープ３が設けられている。マジックテープはプラスチック製の突起を有する部分側（以下凸側）が、ナイロン製の起毛側（以下凹側）に掛かることで固定される。マジックテープ３には凸側のマジックテープが設けられている。
【００２４】
帽子内頭頂部には上記の冷却ジェル袋１固定のため、上記凸側に対応する凹側のマジックテープが設けられている（図３）。
【００２５】
上記マジックテープについては、冷却ジェル袋１側を凸側とし、帽子側を凹側としたのは、頭部に凸側のマジックテープの突起部分が当たり、痛みを発生させることを防止するためである。
【００２６】
冷却ジェル袋１および冷却ジェルの厚みによりマジックテープ凸側の突起が頭部に直接当たらず、頭部の痛み発生の問題がなければ、マジックテープについては、冷却ジェル袋１側を凹側とし、帽子側を凸側としても問題はない。
【００２７】
上記構成により、帽子着用者の頭部冷却が可能となり、着用者の発汗自体を抑制できる。また、冷却ジェル袋１は交換可能であるため、発汗後に当該袋を交換することで、帽子の防臭効果を有する。更に、染髪剤等による汚れも当該冷却ジェル袋１に付着するため帽子自体が汚れることを防止する効果も有する。
【００２８】
なお、冷却ジェル袋１は洗濯可能であるため、洗濯により同一の冷却ジェル袋１を繰り返し使用することが可能である。
【００２９】
図３は冷却ジェル袋１を固定する帽子側のマジックテープの構成を示す図である。
冷却ジェル袋１側のマジックテープ（凸側）に対応する形で帽子の頭頂部内側にマジックテープ（凹側）が設けられている。
【００３０】
図４は帽子の縁部分に取り付ける吸汗帯２の構成を示す図である。
【００３１】
吸汗帯２は帯状の形状からなり、頭部に接触する部分は吸水生地６で構成されている。吸汗帯２の裏側には帽子の縁に取り付け可能とするためにマジックテープ５設けられている。吸汗帯２とマジックテープは一体として形成されている。
【００３２】
吸汗帯２を固定する吸汗帯側のマジックテープは凸側としている。これは頭部に凸側のマジックテープの突起部分が当たり、痛みを発生させることを防止するためである。
【００３３】
吸汗帯２の厚みによりマジックテープ凸側の突起が頭部に直接当たらず、頭部の痛み発生の問題がなければ、マジックテープについては、吸汗帯２側を凹側とし、帽子側を凸側としても問題はない。
【００３４】
図５は吸汗帯２を固定する帽子側のマジックテープの構成を示す図である。吸汗帯２側のマジックテープ５（凸側）に対応する形で帽子の頭頂部内側にマジックテープ８（凹側）が設けられている。
【００３５】
吸汗帯２は着脱可能で交換もできるため、発汗後に交換することで防臭効果を有する。また、髪が直接帽子に接触することを回避できるため、染髪剤や化粧による汚れが付着することを防止する効果も有する。
【００３６】
なお、吸汗帯２は洗濯も可能であるため、交換によらず、洗濯によって同一の吸汗帯２を繰り返し使用してもよい。
【００３７】
更に、吸汗帯２は、帽子の調整機構９（アジャスター部分）以外の部分（頭部のほぼ全周）に設けられているため、頭全体の汗を吸収でき、汗の落下を効果的に防止できる。
【００３８】
上述した実施形態は以下のようにすることもできる。
【００３９】
本実施形態の帽子は、縁部分内側に帯状の吸汗帯を備え、吸汗帯は、汗の吸収を可能とする布を有し、且つ、取り付け部材により頭頂部内側に着脱可能であることを特徴とする。
【００４０】
以上、本考案の好適な実施の形態により本考案を説明した。ここでは特定の具体例を示して本考案を説明したが、実用新案登録請求の範囲に定義された本考案の広範囲な趣旨及び範囲から逸脱することなく、これら具体的に様々な修正及び変更が可能である。
【符号の説明】
【００４１】
１    冷却ジェル袋
２    吸汗帯
３    マジックテープ（冷却ジェル袋側）
４    スリット
５    マジックテープ（吸汗帯側）
６    吸水生地
７    マジックテープ（帽子頭頂部内側）
８    マジックテープ（帽子縁側）
９    調整機構
【図１】
0003164804.tif 000003
【図２】
0003164804.tif 000004
【図３】
0003164804.tif 000005
【図４】
0003164804.tif 000006
【図５】
0003164804.tif 000007